(57)【要約】  【課題】  操作性が良く迅速な撮影を可能とする撮像装置を提供する。  【解決手段】  撮影情報に関するメニューとポインタとを表示するための電子ビューファインダを含む表示部と、撮像装置を把持するための把持部３０６と、この把持部３０６を把持している手の指で操作することができるように把持部３０６に配設されていて手動操作により表示部の画面上でポインタを上下左右に移動させるためのタッチパッド４０２と、第１段スイッチおよび第２段スイッチの２段式でなり、第１段スイッチをポインタにより選択されているメニュー項目を確定するための確定スイッチとして兼用するレリーズボタン４０３と、を備えた撮像装置。【選択図】図５
2007208648.tif 000002
【特許請求の範囲】
【請求項１】
撮影情報に関するメニューを表示して、表示したメニューの中から所定のメニュー項目が選択されると、選択されたメニュー項目に基いて撮影を行う撮像装置であって、
上記メニューと、このメニューの中からメニュー項目を選択するためのポインタと、を表示するための表示部と、
手動操作により上記表示部の画面上で上記ポインタを上下左右に移動させるためのポインタ操作部と、
相対的に軽い押圧力で閉じる第１段スイッチと、この第１段スイッチが閉じる押圧力よりも重い押圧力で閉じる第２段スイッチと、を含むレリーズ操作部と、
当該撮像装置を把持するための把持部と、
を具備し、
上記ポインタ操作部を上記把持部に配設するとともに、上記レリーズ操作部の上記第１段スイッチが閉じることにより上記ポインタによって選択されたメニュー項目を確定するようにしたものであることを特徴とする撮像装置。
【請求項２】
上記表示部は、接眼レンズを介して画像を観察するようになされた覗き式電子ビューファインダを含むものであることを特徴とする請求項１に記載の撮像装置。
【請求項３】
上記ポインタ操作部は、タッチパッドを含むものであることを特徴とする請求項１に記載の撮像装置。
【請求項４】
上記ポインタ操作部は、上記レリーズ操作部を囲むように配置された十字キーを含むものであることを特徴とする請求項１に記載の撮像装置。
【発明の詳細な説明】
【技術分野】
【０００１】
本発明は、撮影情報に関するメニューを表示し選択されたメニュー項目に基いて撮影を行うようになされた撮像装置に関する。
【背景技術】
【０００２】
銀塩カメラに電子制御が取り入れられた頃からカメラが多機能になり始めたが、近年のデジタルカメラの普及に至って、カメラの機能はさらに複雑化している。従って、所望の情報を簡単に選択したり設定したりするためのヒューマンインターフェースは、大変に重要である。
【０００３】
特にカメラは、小型化と機動性との両方が要求されるが、小型化を図ろうとすると配置可能なボタン類の数が限られることになり、操作可能なカメラ機能よりも少ないことになる。そのために、他のボタン操作と組み合わせて、複数種類の機能を操作可能とすることになるが、複数のボタンを操作しなければならないと直ちに機能を発揮させるのが難しくなり、機動性が損なわれる可能性がある。
【０００４】
このような観点から、従来より、種々のインターフェースが提案されている。例えば、特開２００４−８０３５１号公報には、メニューキーによりカメラの表示部にメニューを表示し、十字キー等によりポインタを移動させて所望のメニュー項目を選択し、実行キーや確定キーを押すことにより選択したメニュー項目を実行する技術が記載されている。そして、このような操作性を実現するカメラは、数多く商品化されている。
【０００５】
また、カメラの例ではないが、特開平８−９５９２２号公報には、覗き式の電子ビューファインダ（ＥＶＦ）に表示したメニューの中から、この携帯情報処理装置を把持するための把持部に設けられたポインティングデバイスによりメニュー項目を選択して実行するようにした携帯情報処理装置の例が記載されている。
【特許文献１】特開２００４−８０３５１号公報
【特許文献２】特開平８−９５９２２号公報
【発明の開示】
【発明が解決しようとする課題】
【０００６】
しかしながら、上記特開２００４−８０３５１号公報に記載されたようなものでは、ポインティングデバイスによるカメラの撮影情報の選択操作と、レリーズ操作と、を一連の流れとしてスムーズに操作することができないために、撮影情報の設定から撮影終了までに時間を要し、機動性の点において改良の余地を残している。
【０００７】
また、上記特開平８−９５９２２号公報に記載されたものは、カメラではないために、撮影情報の選択操作と、レリーズ操作と、を一連の流れとしてスムーズに操作することに関しては考慮されていない。
【０００８】
本発明は上記事情に鑑みてなされたものであり、操作性が良く迅速な撮影を可能とする撮像装置を提供することを目的としている。
【課題を解決するための手段】
【０００９】
上記の目的を達成するために、第１の発明による撮像装置は、撮影情報に関するメニューを表示して表示したメニューの中から所定のメニュー項目が選択されると選択されたメニュー項目に基いて撮影を行う撮像装置であって、上記メニューとこのメニューの中からメニュー項目を選択するためのポインタとを表示するための表示部と、手動操作により上記表示部の画面上で上記ポインタを上下左右に移動させるためのポインタ操作部と、相対的に軽い押圧力で閉じる第１段スイッチとこの第１段スイッチが閉じる押圧力よりも重い押圧力で閉じる第２段スイッチとを含むレリーズ操作部と、当該撮像装置を把持するための把持部と、を具備し、上記ポインタ操作部を上記把持部に配設するとともに、上記レリーズ操作部の上記第１段スイッチが閉じることにより上記ポインタによって選択されたメニュー項目を確定するようにしたものである。
【００１０】
また、第２の発明による撮像装置は、上記第１の発明による撮像装置において、上記表示部が、接眼レンズを介して画像を観察するようになされた覗き式電子ビューファインダを含むものである。
【００１１】
さらに、第３の発明による撮像装置は、上記第１の発明による撮像装置において、上記ポインタ操作部が、タッチパッドを含むものである。
【００１２】
第４の発明による撮像装置は、上記第１の発明による撮像装置において、上記ポインタ操作部が、上記レリーズ操作部を囲むように配置された十字キーを含むものである。
【発明の効果】
【００１３】
本発明の撮像装置によれば、操作性が良く迅速な撮影が可能となる。
【発明を実施するための最良の形態】
【００１４】
以下、図面を参照して本発明の実施の形態を説明する。
【００１５】
［実施形態１］
図１から図１７は本発明の実施形態１を示したものであり、図１はカメラの主として電気的な構成の概要を示すブロック図である。
【００１６】
本実施形態は、撮像装置であるカメラとしてデジタルカメラを例に挙げたものとなっている。ただし、カメラとしては、デジタルカメラに限らず、カメラ機能を備えた携帯電話やその他の機器に広く適用することができる。
【００１７】
図１に示すように、このカメラは、レンズ系１０１と、レンズ駆動機構１０２と、露出制御機構１０３と、メカニカルシャッタ１０４と、ＣＣＤ撮像素子（図中では単にＣＣＤと省略する。）１０５と、ＴＧブロック（図中では単にＴＧと省略する。）１０６と、プリプロセス回路１０７と、デジタルプロセス回路１０８と、カードインタフェース（図中ではカードＩ／Ｆと省略する。）１０９と、メモリカード１１０と、ＬＣＤ表示系１１１と、システムコントローラ１１２と、操作スイッチ１１３と、レンズドライバ１１４と、ストロボ１１５と、露出制御ドライバ１１６と、ＡＦ（オートフォーカス）機構１１７と、ＥＥＰＲＯＭ１１８と、を有している。
【００１８】
レンズ系１０１は、焦点位置を調節するためのフォーカスレンズや、あるいは例えば焦点距離を調節するためのズームレンズ等の各種レンズを含んで構成されたものである。
【００１９】
レンズ駆動機構１０２は、レンズ系１０１を駆動して、例えばフォーカス調節を行うためのものである。また、レンズ系１０１がパワーズーム可能なズームレンズ系である場合には、このレンズ駆動機構１０２がズーム調節をさらに行うようにしても良い。
【００２０】
露出制御機構１０３は、レンズ系１０１の光路上に設けられた絞りと、この絞りを制御するための制御機構と、を含むものである。
【００２１】
メカニカルシャッタ１０４は、レンズ系１０１から露出制御機構１０３を介して入射する光束を、ＣＣＤ撮像素子１０５へ到達させる時間を機械的に制御するためのものである。
【００２２】
ＣＣＤ撮像素子１０５は、色フィルタを内蔵するＣＣＤカラー撮像素子である。このＣＣＤ撮像素子１０５としては、例えば、プログレッシブスキャン（順次走査）型で縦型オーバーフロードレイン（ＶＯＦＤ）構造のものなどが用いられている。このＣＣＤ撮像素子１０５は、後述するような複数のサンプル画像を生成するサンプル画像生成手段を兼ねたものとなっている。
【００２３】
ＴＧブロック１０６は、ＣＣＤ撮像素子１０５を駆動するためのＣＣＤ駆動回路であり、タイミングジェネレータ（ＴＧ）およびシグナルジェネレータ（ＳＧ）を含んで構成されている。そして、ＴＧブロック１０６によるＣＣＤ撮像素子１０５の駆動タイミングは、可変設定可能となるように構成されている。すなわち、ＴＧブロック１０６は、このカメラの動作状況に応じたシステムコントローラ１１２の制御に基づき、撮影時におけるＣＣＤ撮像素子１０５の駆動周波数を切り換えるようになっている。この駆動周波数の切り換えは、ＴＧブロック１０６の基本クロック周波数を変更することによって行われる。このＴＧブロック１０６は、ＣＣＤ撮像素子１０５の駆動タイミングと、プリプロセス回路１０７およびデジタルプロセス回路１０８の動作タイミングと、を同期させるようになっている。
【００２４】
プリプロセス回路１０７は、ＣＣＤ撮像素子１０５から出力される信号を事前処理するための回路であり、例えば、サンプルホールド回路であるＣＤＳ（相関二重サンプリング回路）、クランプ回路、Ａ／Ｄコンバータ等を含んで構成されている。
【００２５】
デジタルプロセス回路１０８は、色信号生成処理，マトリックス変換処理，プレビュー処理を含む各種のデジタル処理を行うためのものである。このデジタルプロセス回路１０８は、画像データを記憶するためのバッファメモリ１０８ａを備えて構成されている。
【００２６】
カードインタフェース１０９は、デジタルプロセス回路１０８により処理された画像データをメモリカード１１０に記録する制御を行い（記録制御手段）、あるいはメモリカード１１０に既に記録されている画像データを読み出す制御を行うインタフェースである。
【００２７】
メモリカード１１０は、画像データや、画像データに関連する各種の情報等を記録するための不揮発性記録媒体であり、このカメラに例えば着脱自在となるように構成されている。
【００２８】
ＬＣＤ表示系１１１は、撮影直後の画像を表示したり、メモリカード１１０に記録されている撮影済みの画像を表示したり、カメラに係る各種の情報を表示したりするための表示手段である。このＬＣＤ表示系１１１は、後述するように、サンプル画像の表示も行うようになっている。
【００２９】
システムコントローラ１１２は、このカメラ内の各部を統括的に制御するための制御手段であり、例えばＣＰＵ等を含んで構成されている。このシステムコントローラ１１２は、図示しない内部メモリ等を有し、後述する撮影情報の制御変数値を記憶するための制御変数記憶手段を兼ねたものとなっている。
【００３０】
操作スイッチ１１３は、このカメラに設けられた各種の操作ボタン類を全て含む操作手段である。この操作スイッチ１１３には、例えば、後述するようなポインティングデバイスを構成するタッチパッド４０２（図５参照）あるいはボタン４０４ａ〜４０４ｄ（図６参照）と、レリーズボタン４０３と、等が含まれていて、画像選択手段、撮影情報切替手段、画面分割数選択手段、表示切替手段、制御変数ステップ調整手段を兼ねたものとなっている。
【００３１】
レンズドライバ１１４は、上述したレンズ駆動機構１０２を制御するためのドライバである。
【００３２】
ストロボ１１５は、被写体に照明光を照射するための発光手段である。
【００３３】
露出制御ドライバ１１６は、上述した露出制御機構１０３とストロボ１１５とを制御するための露出制御手段である。
【００３４】
ＡＦ機構１１７は、レンズ系１０１を構成するフォーカスレンズの焦点合致位置からのずれ量を検出するためのものである。
【００３５】
ＥＥＰＲＯＭ１１８は、このカメラに係る各種の設定情報等を記憶するための不揮発性メモリである。
【００３６】
そして、本実施形態のカメラにおいては、システムコントローラ１１２が全ての制御を統括的に行うようになっていて、撮影時の動作の概要は、次のようである。
【００３７】
すなわち、システムコントローラ１１２は、ＴＧブロック１０６を用いてＣＣＤ撮像素子１０５の駆動を制御することによって、露光（電荷蓄積）および信号の読み出しを行わせる。
【００３８】
次に、システムコントローラ１１２は、ＣＣＤ撮像素子１０５から読み出された信号を、プリプロセス回路１０７を介してデジタルプロセス回路１０８のバッファメモリ１０８ａに取り込ませる。
【００３９】
さらに、システムコントローラ１１２は、デジタルプロセス回路１０８に各種の信号処理を行わせた後に、カードインタフェース１０９を介してメモリカード１１０に記録させる。
【００４０】
なお、本実施形態のカメラは、上述したようなＴＧブロック１０６の基本クロック周波数（ひいては、ＣＣＤ撮像素子１０５の駆動タイミング）が可変設定となっている部分や、その他後で別途説明する部分を除けば、通常のデジタルカメラとほぼ同様の動作および制御が行われるものとなっているために、こうした公知の部分については説明を適宜省略する。
【００４１】
次に、図２は、ＬＣＤ表示系１１１のより詳細な構成を示すブロック図である。
【００４２】
このＬＣＤ表示系１１１は、第１ＬＣＤ２０１と、第２ＬＣＤ２０２と、表示部２０３と、選択回路２０８と、を有して構成されている。
【００４３】
第１ＬＣＤ２０１は、電子ビューファインダ（以下、適宜「ＥＶＦ」と記載する。）３０１（図４参照）に内蔵された表示部である。なお、このＥＶＦ３０１は、図４に示すように、カメラ本体３１０に設けられた覗き式のファインダであり、接眼レンズを介して第１ＬＣＤ２０１に表示される画像を拡大して観察するようになっている。従って、第１ＬＣＤ２０１は、カメラ本体３１０に配設された第１表示手段となっている。
【００４４】
第２ＬＣＤ２０２は、図４に示すように、カメラ本体３１０の背面に設けられた表示部である。従って、この第２ＬＣＤ２０２も、カメラ本体３１０に配設された第１表示手段である。
【００４５】
表示部２０３は、上述したＥＶＦ３０１の上側となるカメラ本体３１０の上部に、着脱自在に取り付け可能な表示部である。この表示部２０３は、第３ＬＣＤ２０４と、自己に給電するための電源２０５と、を有している。この表示部２０３（第３ＬＣＤ２０４）は、カメラ本体３１０に着脱自在であって上述した第１表示手段（第１ＬＣＤ２０１、第２ＬＣＤ２０２）よりも画面サイズが相対的に大きい第２表示手段である。
【００４６】
そして、カメラ本体３１０に設けられている選択回路２０８と、表示部２０３に設けられている第３ＬＣＤ２０４とは、接点（Ｃ１）２０６を介して、表示用の制御信号を供給するための信号ラインが接続されている。
【００４７】
また、カメラ本体３１０のシステムコントローラ１１２は、接点（Ｃ２）２０７を介して電圧を測定する等により、表示部２０３がカメラ本体３１０に着脱されたかどうかを検出するようになっている。
【００４８】
このように、表示部２０３がカメラ本体３１０に対して着脱自在となるように構成しているために、表示部２０３を使用しないときのカメラの携帯性を保つことができる。そして、必要な場合に大型の画面で画像を確認することが可能となる。特に、後述するように、大型の画面を用いて、サンプル画像を容易に選択することが可能となる。
【００４９】
選択回路２０８は、システムコントローラ１１２からの制御信号に基づいて、第１ＬＣＤ２０１と第２ＬＣＤ２０２と表示部２０３との内の何れの表示部に表示を行うかを選択するためのものである。なお、第１ＬＣＤ２０１，第２ＬＣＤ２０２，表示部２０３は、これらの内の任意の２つ、あるいは３つが、同時に表示されることはなく、択一的にのみ表示されるものとなっている。
【００５０】
ここに、システムコントローラ１１２が、何れの表示部に表示を行うように制御するかは、以下のような基準に基づき決定されるようになっている。
【００５１】
すなわち、まず、第１ＬＣＤ２０１と第２ＬＣＤ２０２との切り替えは、図５に示すような表示部切替ボタン４０１の状態に応じて行われるようになっている。この表示部切替ボタン４０１は、１回押す毎に第１ＬＣＤ２０１と第２ＬＣＤ２０２との表示が切り替わるようになっている。
【００５２】
また、表示部２０３をカメラ本体３１０に取り付けて、システムコントローラ１１２が接点２０７の電気的な接触を検知すると、該システムコントローラ１１２は、上述した表示部切替ボタン４０１の状態に関わらず、強制的に表示部２０３にのみ表示が行われるように制御するようになっている。すなわち、システムコントローラ１１２は、表示部２０３がカメラ本体３１０に取り付けられているときには、第１ＬＣＤ２０１および第２ＬＣＤ２０２の表示を禁止するように制御するようになっている。
【００５３】
なお、図２には、ＬＣＤ表示系１１１に３つの表示部が設けられている例を示している。しかし、表示部２０３は着脱式であるために、取り外されているときには、ＬＣＤ表示系１１１に含まれる表示部は、第１ＬＣＤ２０１および第２ＬＣＤ２０２の２つとなる。また、この図２に示す例では、カメラ本体３１０に、第１ＬＣＤ２０１と第２ＬＣＤ２０２との２つが設けられているが、カメラによっては、例えば第２ＬＣＤ２０２に相当するカメラ本体背面側のＬＣＤのみしか備えていないタイプのものもある。このときには、第１ＬＣＤ２０１が省略され、カメラ本体側に表示部が１つ、カメラ本体に対して着脱自在な表示部２０３が１つとなる。加えて、表示部２０３としては、１種類を装着可能であるに限るものではなく、画面の大きさや機能等が異なる複数のタイプの表示部を択一的に装着可能となるようにしてももちろん構わない。このように、表示部の数は３つに限るものではない。
【００５４】
また、上述したようなＬＣＤ表示系１１１の利用状態や利用法としては、次のようなものが考えられる。
【００５５】
例えば、上述したように、カメラ本体３１０の軽量化を図ることを優先したい場合には、表示部２０３を取り外せば良い。このときに、カメラ背面に設けられた第２ＬＣＤ２０２を用いて後述するサンプル画像の選択操作を行いたい場合には、表示部切替ボタン４０１をそのように操作すれば良い。また、第１ＬＣＤ２０１が配設されたＥＶＦ３０１は、カメラ背面に設けられた第２ＬＣＤ２０２に比べて視野角が広いために、より大画面の表示が可能である。従って、より大画面でサンプル画像の選択操作を行いたい場合には、表示部切替ボタン４０１を操作して、 第１ＬＣＤ２０１側へ切り換えれば良い。
【００５６】
一方、ＥＶＦ３０１は覗き式であるために、ＥＶＦ３０１を観察しながらサンプル画像を選択する操作を長時間連続して行うと、目が疲れる要因となり得る。このような、カメラ本体３１０重量の幾らかの増加よりも目の疲労軽減を重視したい場合には、着脱式の大画面の表示部２０３を装着して利用すれば良い。同様に、カメラ背面に設けられた第２ＬＣＤ２０２を用いて観察を行うよりも、より大画面で観察を行いたい場合には、表示部２０３を装着して利用すれば良い。そして、表示部２０３を用いると、複数人での観察にも適するという利点がある。
【００５７】
次に、図３はカメラの外観を示す正面図、図４はカメラに表示部を取り付けた状態の外観を示す背面図、図５はカメラ本体３１０の上面に設けられた操作スイッチの配置を示す部分平面図である。
【００５８】
図３に示すように、カメラ本体３１０の正面には、レンズ系１０１がレンズ鏡筒内に収納されて配設されている。
【００５９】
また、正面から見てカメラ本体３１０の左側（操作者の右手側）には、把持部３０６が設けられていて、この把持部３０６の上部にレリーズボタン４０３が配設されている。このレリーズボタン４０３は、軽い押圧力（以下「半押し」とよぶ。）により閉じる第１段スイッチと、それよりも強い押圧力（以下「全押し」とよぶ。）により閉じる第２段スイッチと、を有して構成される２段式のボタンスイッチである。そして、このレリーズボタン４０３の第１段スイッチは、タッチパッド４０２により選択操作を行う際に、その選択結果を確定するための確定ボタンとして機能するようになっていて、画像選択手段、撮影情報切替手段、画面分割数選択手段、表示切替手段、制御変数ステップ調整手段、確定ボタン、レリーズ操作部を兼ねたものとなっている。
【００６０】
また、正面から見たカメラ本体３１０の左側上部には、モードダイヤル３０４が配設されている。このモードダイヤル３０４は、図５に示すように回転式のダイヤルスイッチであり、例えば、プレビュー撮影モード（ＰＶ）、オート（プログラム）撮影モード（Ａ）、シャッタ優先撮影モード（ＴＶ）、絞り優先撮影モード（ＡＶ）、マニュアル撮影モード（Ｍ）、を切り替えるためのものとなっている。
【００６１】
さらに、このモードダイヤル３０４の近傍には、図５に示すように、コントロールダイヤル３０５が配設されている。このコントロールダイヤル３０５は、撮影モードに対応した撮影情報の制御変数を切り替えるためのダイヤルスイッチである。上述したモードダイヤル３０４によりこのカメラの撮影モードが例えばシャッタ優先撮影モードに設定されている場合には、コントロールダイヤル３０５を回転操作することにより、シャッタスピードを切り替えることができるようになっている。同様に、このカメラの撮影モードが例えば絞り優先撮影モードに設定されている場合には、コントロールダイヤル３０５を回転操作することにより、絞り値を切り替えることができるようになっている。そして、撮影モードに対応してコントロールダイヤル３０５により操作可能な制御変数の現在の設定値は、図２に示したようなＬＣＤ表示系１１１の各表示部の内の、現在使用されている表示部に表示されるようになっている。
【００６２】
上述したモードダイヤル３０４の左側方となる把持部３０６の上部には、図５に示すように、表示部切替ボタン４０１が配置されている。この表示部切替ボタン４０１は、上述したように、第１ＬＣＤ２０１と第２ＬＣＤ２０２との切り替えを行うためのボタンスイッチである。
【００６３】
さらに、把持部３０６の上部のレリーズボタン４０３近傍の、該レリーズボタン４０３よりもカメラ背面側となる、カメラを把持する手の指で操作可能な位置には、タッチパッド４０２が配設されている。このタッチパッド４０２は、後で詳しく説明するプレビュー撮影モードにおいて、ＬＣＤ表示系１１１に表示されているポインタＰＴ（図１０〜図１７参照）を移動させるためのものであり、画像選択手段、撮影情報切替手段、画面分割数選択手段、表示切替手段、制御変数ステップ調整手段、ポインタ操作部を兼ねたものとなっている。
【００６４】
このタッチパッド４０２は、よく知られているように、互いに平行する多数のＸ電極と、互いに平行しかつこのＸ電極に直交する方向の多数のＹ電極とを、絶縁体を介して挟み込んで構成されている。そして、タッチパッド４０２のある位置を指等で触れると、その触れた位置で交叉しているＸ電極とＹ電極とでなるコンデンサの静電容量が変化するために、静電容量の変化に応じて電流が流れる。そこで、電流が流れたＸ電極とＹ電極とを検出することにより、交点を算出して、触れた位置がタッチパッド４０２上のどの位置であるかが分かるようにしたものである。
【００６５】
こうして、撮影者がカメラを把持しながら、把持する手の例えば人差し指でタッチパッド４０２の表面をなぞると、タッチパッド４０２上の指が触れた位置に応じて、ＬＣＤ表示系１１１に表示されたポインタＰＴが移動するようになっている。そしてこのポインタＰＴの移動により情報の選択等を行うことができるようになっている。なお、上述したように、選択した情報の確定は、レリーズボタン４０３の第１段スイッチにより行うことが可能である。
【００６６】
こうして、上述したタッチパッド４０２およびレリーズボタン４０３は、ポインタＰＴを移動して情報の選択を行ったり、選択した所定の情報を確定したりするための、いわゆるポインティングデバイスを構成している。そして、このようなポインティングデバイスを用いることにより、後述するような多様なサンプル画像の選択を、高い操作性で容易に行うことが可能となる。
【００６７】
また、図４に示すように、カメラ本体３１０の背面側のＥＶＦ３０１の下側には、上述した第２ＬＣＤ２０２が配設されている。
【００６８】
さらに、図４に示すように、上述した表示部２０３は、ＥＶＦ３０１の上側となるカメラ本体３１０に上部に、着脱自在に取り付け可能となっている。
【００６９】
この表示部２０３のカメラ本体３１０への取り付け部分には、ヒンジ部３０２が設けられている。このヒンジ部３０２は、表示部２０３を被写体側や背面側へ前後に回動するためのものである。これにより、撮影者は、観察し易い所望の角度に表示部２０３を調整することができるようになっている。
【００７０】
表示部２０３は、上述したように比較的大画面の第３ＬＣＤ２０４を備えているために、バックライトへの供給電力をはじめとして、消費電力が大きい。従って、もし表示部２０３の電源をカメラ本体３１０側から供給するように構成すると、カメラ本体３１０の撮影可能枚数が少なくなってしまうことになる。そこで、表示部２０３は、例えば左側面に電源を収納するための電源収納部３０３を備え、電力を自己の内蔵電源から供給するように構成されている。
【００７１】
また、図６はカメラ本体３１０の上面に設けられた操作スイッチの他の構成例の配置を示す部分平面図である。
【００７２】
この図６は、ポインティングデバイスとして他の構成を採用した例を示すものとなっている。すなわち、この図６に示す例においては、図５に示したようなタッチパッド４０２に代えて、４つのボタン４０４ａ，４０４ｂ，４０４ｃ，４０４ｄを設けたものとなっている。
【００７３】
これら４つのボタン４０４ａ，４０４ｂ，４０４ｃ，４０４ｄは、レリーズボタン４０３を中心にして、その周辺の円周方向に、角度９０°の等角度間隔で配置されたいわゆる十字キーとなっており、画像選択手段、撮影情報切替手段、画面分割数選択手段、表示切替手段、制御変数ステップ調整手段、ポインタ操作部を兼ねたものである。
【００７４】
そして、紙面上の右側に配設されたボタン４０４ａを押すと、ＬＣＤ表示系１１１に表示されているポインタＰＴは、該ボタン４０４ａが押されている間は、所定の速度で画面内の左方向に移動するようになっている。
【００７５】
同様に、紙面上の左側に配設されたボタン４０４ｂを押すと、ＬＣＤ表示系１１１に表示されているポインタＰＴは右方向に移動するようになっている。さらに同様に、紙面上の上側に配設されたボタン４０４ｃを押すと、ＬＣＤ表示系１１１に表示されたポインタＰＴは上に移動するようになっている。最後に、紙面上の下側に配設されたボタン４０４ｄを押すと、ＬＣＤ表示系１１１に表示されたポインタＰＴは、下に移動するようになっている。
【００７６】
また、レリーズボタン４０３は、本来のレリーズボタンとして機能する他に、図５に示した例と同様に、プレビュー撮影モードにおいては、半押し（第１段スイッチのオン）が確定ボタンとして機能するようになっている。すなわち、４つのボタン４０４ａ，４０４ｂ，４０４ｃ，４０４ｄを操作してＬＣＤ表示系１１１に表示された所定のロゴの位置に例えばポインタＰＴを移動し、その後にこのレリーズボタン４０３を半押しすると、ポインタ位置のロゴを選択することができる。
【００７７】
この図６に示したような、確定ボタンとしてのレリーズボタン４０３を中央にして、その周辺に配置した４つのボタンを用いてポインタＰＴを移動する構成を採用することにより、所望の情報の選択および確定を、カメラを把持する片手でも簡単に行うことができるとともに、迅速な撮影を行うことができる。
【００７８】
なお、図５や図６に示した例においては、ポインタＰＴを移動させるためにタッチパッドや十字キーなどの入力手段を用いているが、これに限るものではなく、トラックボールなどの他の入力手段を採用するようにしても構わない。
【００７９】
次に、システムコントローラ１１２は、自己に内蔵するタイマカウンタのカウント値に基づいて、所定時間周期で、操作スイッチ１１３に含まれる各種のスイッチの入力状況を監視している。そして、システムコントローラ１１２は、スイッチの入力状況に変化があったときには、それに応じた処理を行うようになっている。図７は、スイッチの入力状態に応じて各種の処理に分岐する動作を示すモード読み込み処理のフローチャートである。なお、操作スイッチ１１３は、実際には多数の機能を果たすスイッチ類を含んでおり、分岐して行われる操作も多数あるが、この図７においては、その内の３つの処理のみを記載し、その他の分岐処理については省略している。
【００８０】
このモード読み込み処理を開始すると、システムコントローラ１１２は、操作スイッチ１１３に含まれる各スイッチの状態を読み込む（ステップＳ１０１）。
【００８１】
そして、操作スイッチ１１３に含まれるレリーズボタン４０３の第２段スイッチが入力されたことが検出された場合には、後述するレリーズ処理（図９参照）を実行する（ステップＳ１０２）。なお、この処理は、全ての処理に優先して実行される。
【００８２】
また、操作スイッチ１１３により撮影モードが選択され、レリーズボタン４０３の第２段スイッチがまだ入力されていない場合には、スルー画表示モード処理を実行する（ステップＳ１０３）。このスルー画表示モード処理は、被写体の画像をＬＣＤ表示系１１１に所定周期で逐次表示する処理である。
【００８３】
そして、操作スイッチ１１３に含まれるモードダイヤル３０４により、プレビュー撮影モード（ＰＶ）が選択されていることが検出された場合には、最適画像選択処理（図８参照）を実行する（ステップＳ１０４）。この最適画像選択処理は、後述するように、撮影者が所望の最適な画像を選択するための処理である。
【００８４】
次に、このカメラにおいては、プレビュー撮影モード（ＰＶ）が選択されると、撮影情報の制御変数を所定のステップで変化させて複数枚のサンプル画像を撮影し、撮影したサンプル画像をＬＣＤ表示系１１１に表示して、実際の撮影に用いる制御変数の値を所望のものに選択することができるようになっている。図８は、図７のステップＳ１０４における最適画像選択処理の詳細を示すフローチャートである。
【００８５】
この処理を開始すると、まず、撮影情報の制御変数等に係る初期設定を行う（ステップＳ２０１）。この図８に示す例において行われる初期設定の対象は、撮影情報の種類を表す識別情報ＩＤＩと、画面の分割数を表す識別情報ＩＤＤと、制御変数の変化ステップを表す識別情報ＩＤＣと、である。
【００８６】
識別情報ＩＤＩが表す撮影情報の種類としては、例えば、階調、ホワイトバランス、露出補正、シャッタスピード、絞り、色相、彩度、シャープネス、コントラストなどが挙げられる。
【００８７】
また、識別情報ＩＤＤが表す画面の分割数は、選択した所定の撮影情報の制御変数を所定ステップで変化させて撮影したサンプル画像を画面に表示する場合の画面の分割数のことである。
【００８８】
さらに、識別情報ＩＤＣは、選択した所定の撮影情報の制御変数の変化ステップを、通常のステップとするか、それよりも細かいステップとするか、あるいは粗いステップとするか、等の情報を示す微調整フラグ（ＦＬＡＧ）である。
【００８９】
この図８に示す例におけるステップＳ２０１においては、識別情報ＩＤＩに０が、識別情報ＩＤＤに４が、識別情報ＩＤＣに１が、それぞれ設定されている。なお、このステップＳ２０１中における［ｘｘｘ］は、識別情報ｘｘｘを記憶するメモリを意味している。
【００９０】
従って、例えば、［ＩＤＩ］  ←  ０  は、識別情報ＩＤＩを記憶するメモリに、値０をセットすることを意味している。ここに、識別情報ＩＤＩにおける値０は、撮影情報の種類が何も選択されていないことを示している。従って、図８に示す例においては、初期設定で撮影情報の種類は選択されない。
【００９１】
また、メモリ［ＩＤＤ］に４を記憶することは、画面の分割数が４であることを示している。従って、図８に示す例においては、初期設定として画面の４分割が選択される。
【００９２】
さらに、メモリ［ＩＤＣ］に１を記憶することは、撮影情報の制御変数を通常のステップで変化させることを示している。従って、図８に示す例においては、撮影情報の制御変数を通常のステップで変化させることが選択される。
【００９３】
このようにして初期設定が行われたら、例えば図１０に示すような初期状態の画面が表示される（ステップＳ２０２）。
【００９４】
続いて、ポインタＰＴにより選択された、撮影情報の種類を表す識別情報ＩＤＩと、画面の分割数を表す識別情報ＩＤＤと、制御変数の変化ステップを表す識別情報ＩＤＣと、の取得（これらをまとめて、「イベント情報の取得」とよぶ。）を、公知の技術に基づいて行う（ステップＳ２０３）。
【００９５】
その後、取得した各ＩＤに基いたイベント処理を実行する（ステップＳ２０４）。
【００９６】
これらステップＳ２０３，Ｓ２０４の処理は、この最適画像選択処理を抜ける操作がなされるまで、繰り返して行われる。
【００９７】
ここで、ステップＳ２０２における初期表示と、ステップＳ２０３におけるイベント情報の取得と、ステップＳ２０４におけるイベント処理と、について、図１０〜図１７を参照しながら説明する。
【００９８】
まず、図１０は、最適画像選択画面の初期状態を示す図である。
【００９９】
この初期状態においてはイベントはまだ発生していないために、ステップＳ２０１において設定された初期設定値に基づいて、ＬＣＤ表示系１１１に最適画像選択画面が表示される。
【０１００】
この最適画像選択画面には、画像を表示するための画像表示領域５０１の例えば上側にツールバー５０２が設けられており、このツールバー５０２には、撮影情報の種類を表す識別情報ＩＤＩを選択するための撮影情報切替手段であるメニュー５０２ａと、画面の分割数を表す識別情報ＩＤＤを選択するための画面分割数選択手段であるメニュー５０２ｂと、制御変数の変化ステップを表す識別情報ＩＤＣを選択するための表示切替手段であり制御変数ステップ調整手段たるメニュー５０２ｃと、が表示されている。
【０１０１】
また、この初期状態では、図１０に示すように、初期値に基づいて撮影された１枚の画像Ｓが画像表示領域５０１に表示される。ただし、サンプル画像を生成するための制御変数がまだ選択されていないために、撮影される画像は１枚のみとなり、画面の分割数は自動的に「１」となっている。このように、まず初期値に基づいて撮影された画像を拡大表示して、撮影者に観察する機会を与える。そして、撮影者は、この見易く拡大された画像を観察し、この画像で満足することができる場合には、この初期値に基づいて静止画を撮影すれば良い。
【０１０２】
さらに、最適画像選択画面には、ポインタＰＴとして例えば矢印が表示されるようになっている。
【０１０３】
次に、図１１は、撮影情報の種類を選択している状態の最適画像選択画面を示す図である。
【０１０４】
図１１に示すように、タッチパッド４０２を操作してポインタＰＴをツールバー５０２の「撮影情報」メニュー５０２ａの位置に移動しレリーズボタン４０３を半押しすると、撮影情報のより詳細なメニューがプルダウンされる。
【０１０５】
さらに、プルダウンされた撮影情報のメニュー上でポインタＰＴを移動させると、ポインタＰＴが指す位置にある撮影情報が他の撮影情報とは異なる態様で表示される。図１１に示す例においては、「異なる態様」を「浮き彫り」としているが、これに限らず、例えば「異なる態様」を「文字色の反転（例えば、白黒反転）」としても構わないし、さらにその他の表示態様を採用しても良い。要は、他の撮影情報と異なっていることが明確である表示態様であれば良い。
【０１０６】
このようにポインタＰＴの移動を行い、希望する撮影情報の上にポインタＰＴが移動されたら、レリーズボタン４０３を半押しする。すると、撮影情報が選択されるとともに、初期設定された制御変数に基づいて複数枚（例えば１５枚）のサンプル画像が撮影される。このサンプル画像の撮影は、初期設定で設定されている制御変数を中心として、制御変数を予め決められた標準的なステップで変化させて複数枚撮影することにより行われる。
【０１０７】
そして、これらの撮影されたサンプル画像を、制御変数の相対的に小さい方から、この図１１に示す例においてはＡ，Ｂ，Ｃ，Ｄの順に配列して縮小表示する。なお、この図１１に示す例では画面分割数が初期設定された４枚であるためにＡ，Ｂ，Ｃ，Ｄの順となっているが、例えば画面分割数が９枚に設定されている場合にはＡ，Ｂ，Ｃ，Ｄ，Ｅ，Ｆ，Ｇ，Ｈ，Ｉなどの順となる。
【０１０８】
なお、サンプル画像を配列表示する際に、初期設定した制御変数により撮影されたサンプル画像（すなわち、最も標準的と考えられる制御変数（いわゆる中央値）により撮影されたサンプル画像）が、Ａ，Ｂ，Ｃ，Ｄの中央に位置するように表示すると良い。この図１１に示す例においては、画面分割数が偶数であるために、例えば、ＢまたはＣの位置に、初期設定した制御変数により撮影されたサンプル画像を表示すると良い。
【０１０９】
サンプル画像が表示されている状態において、ポインタＰＴを表示画面におけるスクロールバー（例えば、反転表示されている。）の位置Ｐに移動して、レリーズボタン４０３を半押した状態でポインタＰＴを左右に移動させると、サンプル画像が左右にスクロールする。このようにすることにより、画面分割数よりも多い数のサンプル画像の中から所望のサンプル画像を選択することができる。
【０１１０】
次に、図１２は、画面の分割数を選択している状態の最適画像選択画面を示す図である。
【０１１１】
図１２に示すように、上述と同様にしてツールバー５０２から「分割数」メニュー５０２ｂを選択して詳細なメニューをプルダウンすると、所定の分割数１，４，９の中から所望の分割数を選択することができる。
【０１１２】
例えば、分割数として「９」を選択すると、画面が横方向３×縦方向３に９分割される。そして、各分割領域に制御変数の異なる９枚のサンプル画像が配分されて、横方向３枚×縦方向３枚のように再表示される。
【０１１３】
このように複数のサンプル画像を同一画面に分割して縮小表示することにより、サンプル画像の相対的な比較を容易に行うことができるようになっている。また、表示可能な枚数を選択可能とすることにより、撮影者のニーズに応じた数の画像を同一画面に表示することができるようになっている。
【０１１４】
次に、図１３は、制御変数の変化ステップを選択している状態の最適画像選択画面を示す図である。
【０１１５】
図１３に示すように、上述と同様にしてツールバー５０２から「制御変数」メニュー５０２ｃを選択して詳細なメニューをプルダウンすると、制御変数の変化ステップ（以下では適宜、制御変数ステップと呼ぶ。）として粗調、標準、微調の中から所望のものを選択することができる。
【０１１６】
ここに、「粗調」は、「標準」よりも粗いステップで制御変数を変化させてサンプル画像を撮影し表示する際に選択するものである。また、「微調」は、「標準」よりも細かいステップで制御変数を変化させてサンプル画像を撮影し表示する際に選択するものである。
【０１１７】
そして、ここで選択された制御変数ステップが前回のサンプル画像の撮影時と異なる場合には、改めて一連のサンプル画像の撮影が行われる。なお、制御変数ステップが初期設定値から変更されたとき、または前回選択された設定値から変更されたときには、直前に選択された所定の撮影情報の制御変数値を中心として、複数枚のサンプル画像が撮影されるようになっている。そして、画像表示領域５０１に配列されるサンプル画像も、直前に選択された所定の撮影情報の制御変数値をもつサンプル画像が中心に配置されるように表示される。
【０１１８】
このようにすることにより、既に選択したサンプル画像を中心として細かい制御変数ステップでサンプル画像を選択し、より適正なサンプル画像を選択することが可能となる。なお、制御変数ステップを変更した後の操作は、上述と同様に行えば良い。
【０１１９】
撮影者がこのような制御変数ステップを利用する場合には、まず、最初に粗い制御変数ステップで所望のサンプル画像を選択し、次により細かい制御変数ステップでサンプル画像を選択するようにすると良い。これにより、効率的に所望のサンプル画像を選択することが可能となる。
【０１２０】
続いて、図１４および図１５を参照して、サンプル画像を選択する操作について説明する。ここに、図１４はサンプル画像の１つをポイントしている状態の最適画像選択画面を示す図、図１５は登録確認ダイヤログ５０６が表示されている状態の最適画像選択画面を示す図である。
【０１２１】
配列されているサンプル画像上でポインタＰＴを移動させると、ポインタＰＴが指す位置にあるサンプル画像の表示枠が、図１４に示すように、他のサンプル画像の表示枠とは異なる形態で表示される。この図１４に示す例においては、表示枠の異なる形態として二重枠を示しているが、これに限らず表示枠の色を異ならせても良いし、その他の表示形態を採用することももちろん可能である。
【０１２２】
次に、所望のサンプル画像がポイントされた状態、つまり所望のサンプル画像の表示枠が異なる形態で表示された状態で、レリーズボタン４０３を半押しすると、図１５に示すように選択した画像が画像表示領域５０１に拡大表示され、選択したサンプル画像を登録するか否かを確認するための登録確認ダイヤログ５０６が表示される。
【０１２３】
この登録確認ダイヤログ５０６において「はい」を選択すると、ポイントされているサンプル画像に対応する制御変数がシステムコントローラ１１２内に設けられているメモリに記憶される（なお、ここでは、制御変数記憶手段としてシステムコントローラ１１２の内部メモリを用いているが、これに代えて、あるいはこれと共に、例えばＥＥＰＲＯＭ１１８等のメモリを用いるようにしても構わない）。また、登録確認ダイヤログ５０６において「いいえ」を選択すると、図１４の表示に再度戻る。
【０１２４】
このように、登録確認ダイヤログ５０６を表示することによって、撮影者が希望した制御変数のみを記憶することができる。そして、サンプル画像の１つが選択された場合には、その選択されたサンプル画像を拡大表示するようにしたために、より詳細な画質の評価が可能になるとともに、不満足な画質の場合には登録を取り消すことが可能となる。
【０１２５】
次に、図１６は、撮影情報の種類を追加選択している状態の最適画像選択画面を示す図である。
【０１２６】
この図１６は、具体的には、階調の制御変数を登録した後に、撮影情報の種類として露出補正を選択しているところを示している。ここに、既に階調の制御変数が登録されている撮影情報「階調」についても、図示のように、まだ選択が行われていない他の撮影情報とは異なる態様で表示されている。なお、制御変数が既に登録されている撮影情報（図１６に示す例では「階調」）と、現在ポイントされている撮影情報（図１６に示す例では「露出補正」）と、の表示態様をさらに異ならせるようにしても良い。
【０１２７】
この図１６に示すような状態においては、上述したような「階調」を選択したときと同様の操作を行うことにより、露出補正の制御変数を選択することができる。この場合、前回の操作までに設定した撮影情報の制御変数値を用いて（すなわち、図１６に示す例では既に設定されメモリに記憶されている「階調」についての制御変数値を変更することなく）、今回選択した撮影情報（図１６に示す例においては「露出補正」）の制御変数を変化させたサンプル画像が表示されることになる。
【０１２８】
このようにすることにより、優先順位の高い撮影情報の制御変数から順に選択するとともに、既に選択した撮影情報の全てを用いて撮影したサンプル画像を表示することができる。
【０１２９】
なお、既に設定されている撮影情報（例えば「階調」）についても、同様の操作を行えば、再設定することがもちろん可能である。
【０１３０】
図１７は、さらに露出補正値を変化させながら撮影した複数のサンプル画像が表示されている状態の最適画像選択画面を示す図である。
【０１３１】
これら複数枚のサンプル画像Ａ’，Ｂ’，Ｃ’，Ｄ’は、既に選択した階調については設定された制御変数値の下で、および未だ選択されていない撮影情報については初期設定された制御変数値の下で、露出補正に関する制御変数を変化させながら撮影されたものである。
【０１３２】
次に、図９は、図７のステップＳ１０２におけるレリーズ割り込み処理を示すフローチャートである。
【０１３３】
なお、ここでいうレリーズとは、レリーズボタン４０３の第２段スイッチが閉じることを指す。従って、このレリーズ割り込み処理は、レリーズボタン４０３の第２段スイッチが閉じた後に行われる処理を示している。
【０１３４】
この処理を開始すると、システムコントローラ１１２は、まず、モードダイヤル３０４によりプレビュー撮影モードが設定されているか否かを判定する（ステップＳ３０１）。
【０１３５】
ここでプレビュー撮影モードではないと判定された場合には、周知の露出演算式に基づいて、撮影モードに応じた絞り値やシャッタスピードを演算する（ステップＳ３０２）。
【０１３６】
このステップＳ３０２が終了した場合には演算された絞り値やシャッタスピードに基づいて、また、ステップＳ３０１においてプレビュー撮影モードであると判定された場合には上述したように設定されメモリに記憶されている撮影情報の制御変数に基づいて、以下に説明するように、静止画の撮影を行う。
【０１３７】
すなわち、まず、被写体までの距離情報を演算し、この演算結果に基づいて、システムコントローラ１１２は、レンズドライバ１１４およびレンズ駆動機構１０２を介して、レンズ系１０１を合焦位置に駆動させる（ＡＦ）（ステップＳ３０３）。
【０１３８】
次に、露出値を設定する（ステップＳ３０４）。この露出値の設定は、ステップＳ３０１においてプレビュー撮影モードでないと判定された場合には、ステップＳ３０２で演算された露出値を用いる。また、ステップＳ３０１においてプレビュー撮影モードであると判定された場合には、絞り値、シャッタスピード、露出補正値などの、上述したプレビュー撮影モードにおいて設定された撮影情報の内の、露出に関する撮影情報を設定する。
【０１３９】
続いて、設定された絞り値に基づき露出制御機構１０３内の絞りを制御するとともに、メカニカルシャッタ１０４やＣＣＤ撮像素子１０５による電子シャッタを制御して、所定の光量で所定の時間だけＣＣＤ撮像素子１０５を露光する露出制御を行う（ステップＳ３０５）。
【０１４０】
この露光が終了したら、プリプロセス回路１０７およびデジタルプロセス回路１０８を用いて、ＣＣＤ撮像素子１０５から読み出された画像信号に、Ａ／Ｄ（アナログ／デジタル）変換処理や、上述した撮影情報の制御変数の内の幾つかに関連する階調変換処理やホワイトバランス処理などの処理、圧縮処理、等の画像処理を行う（ステップＳ３０６）。
【０１４１】
このステップＳ３０６の処理を経て圧縮された画像データは、カードインタフェース１０９を介して、メモリカード１１０に記録される（ステップＳ３０７）。
【０１４２】
このステップＳ３０７の処理が終了したら、このレリーズ処理を抜けて、元の処理に復帰する。
【０１４３】
なお、この図９に示す処理においては、ステップＳ３０３やステップＳ３０４において改めてレンズ駆動や露出値の設定を行っているが、プレビュー撮影モードであった場合にはこれらを行うことなく、該プレビュー撮影モードで最終的に設定されているレンズ位置や露出設定値をそのまま保持して、ステップＳ３０５の露光制御を行うようにすることも可能である。
【０１４４】
さらに、この図９に示す処理においては、プレビュー撮影モード時に、選択されたサンプル画像に係る撮影情報の制御変数に基づいて、ステップＳ３０５において改めて撮影を行うようにしているが、これに限るものではない。例えば、選択されているサンプル画像を、そのまま撮影画像としてメモリカード１１０に記録するようにしても構わない。
【０１４５】
このような実施形態１によれば、階調、カラーバランス、色相、彩度、明るさなどの画質を決める撮影情報の、それぞれの制御変数の最適な組み合わせを簡単に設定して、静止画の撮影を行うことができる。
【０１４６】
そして、複数のサンプル画像を同時並列的に縮小表示するようにしたために、複数の画像を相対的に比較しながら所望のサンプル画像を選択することができる。
【０１４７】
また、所定の縮小画像が選択されたときには、その選択された縮小画像を拡大して表示するようにしたために、画質の評価を容易に行うことが可能となる。
【０１４８】
さらに、画面の分割数を選択することができるようにしたために、撮影者のニーズに応じた画像の大きさや画像数でサンプル画像を評価することが可能となる。
【０１４９】
そして、撮影情報が切り替えられる毎に、切り替えられた撮影情報に関する異なる制御変数に基づいて撮影を行い、新たに複数のサンプル画像を生成するようにしたために、複数の撮影情報の設定を容易に行うことが可能となる。
【０１５０】
加えて、撮影情報の制御変数の変化ステップを切り替えることができるようにしたために、撮影者のニーズに応じた細かい画質の選択を行うことが可能となる。
【０１５１】
また、選択された画像に関する制御変数を中心にして、制御変数の異なる複数のサンプル画像を表示するようにしたために、効率良く所望のサンプル画像を選択することが可能となる。
【０１５２】
さらに、サンプル画像間の制御変数の変化の粗さを調整することができるようにしたために、より効率的に精度の高い所望のサンプル画像を選択することが可能となる。
【０１５３】
そして、視野角が広く大画面表示が可能な電子ビューファインダをサンプル画像の表示に用いることができるようにしたために、画像を分割表示しても、画質の評価を容易に行うことができる利点がある。
【０１５４】
また、大型の電子ファインダを装着することができるようにしたために、装着した際にはサンプル画像を容易に選択することが可能となる。また、大型の電子ファインダはカメラ本体に着脱自在であるために、この電子ファインダを使用しないときには取り外すことができ、カメラの携帯性を保つことができる。
【０１５５】
さらに、大型の電子ファインダが装着されたときには、カメラ本体の表示部の表示を禁止するようにしたために、面倒な操作を行うことなく消費電力の浪費を防止することができる。
【０１５６】
そして、多様なサンプル画像を選択するための手段としてポインティングデバイスを用いたために、選択を操作性良く容易に行うことができる。
【０１５７】
このとき、タッチパッドや十字キーをカメラ把持部の上側となるカメラ上面に設けたために、カメラを把持している手の指によりカメラを把持したまま操作することができ、操作性を向上することが可能となる。
【０１５８】
加えて、元来操作し易い位置に設けられたレリーズボタンの第１段スイッチを確定ボタンに兼用するようにしたために、確定操作の操作性を向上することができる。
【０１５９】
こうして、撮像装置の把持部を把持した状態でポインティングデバイスにより撮影情報を選択し、レリーズ操作部の第１段スイッチにより選択した情報を確定するようにしたために、撮影情報の選択操作とレリーズ操作とを一連の流れとしてスムーズに操作することができ、操作性が良く迅速な撮影が可能となる。
【０１６０】
なお、本発明は上述した実施形態に限定されるものではなく、発明の主旨を逸脱しない範囲内において種々の変形や応用が可能であることは勿論である。
【産業上の利用可能性】
【０１６１】
本発明は、撮影情報に関するメニューを表示し選択されたメニュー項目に基いて撮影を行うようになされた撮像装置に好適に利用することができる。
【図面の簡単な説明】
【０１６２】
【図１】本発明の実施形態１におけるカメラの主として電気的な構成の概要を示すブロック図。
【図２】上記実施形態１におけるＬＣＤ表示系のより詳細な構成を示すブロック図。
【図３】上記実施形態１におけるカメラの外観を示す正面図。
【図４】上記実施形態１におけるカメラに表示部を取り付けた状態の外観を示す背面図。
【図５】上記実施形態１において、カメラ本体の上面に設けられた操作スイッチの配置を示す部分平面図。
【図６】上記実施形態１において、カメラ本体の上面に設けられた操作スイッチの他の構成例の配置を示す部分平面図。
【図７】上記実施形態１において、スイッチの入力状態に応じて各種の処理に分岐する動作を示すモード読み込み処理のフローチャート。
【図８】図７のステップＳ１０４における最適画像選択処理の詳細を示すフローチャート。
【図９】図７のステップＳ１０２におけるレリーズ割り込み処理を示すフローチャート。
【図１０】上記実施形態１における最適画像選択画面の初期状態を示す図。
【図１１】上記実施形態１において、撮影情報の種類を選択している状態の最適画像選択画面を示す図。
【図１２】上記実施形態１において、画面の分割数を選択している状態の最適画像選択画面を示す図。
【図１３】上記実施形態１において、制御変数の変化ステップを選択している状態の最適画像選択画面を示す図。
【図１４】上記実施形態１において、サンプル画像の１つをポイントしている状態の最適画像選択画面を示す図。
【図１５】上記実施形態１において、登録確認ダイヤログが表示されている状態の最適画像選択画面を示す図。
【図１６】上記実施形態１において、撮影情報の種類を追加選択している状態の最適画像選択画面を示す図。
【図１７】上記実施形態１において、さらに露出補正値を変化させながら撮影した複数のサンプル画像が表示されている状態の最適画像選択画面を示す図。
【符号の説明】
【０１６３】
１０１…レンズ系
１０２…レンズ駆動機構
１０３…露出制御機構
１０４…メカニカルシャッタ
１０５…ＣＣＤ撮像素子（サンプル画像生成手段）
１０６…ＴＧブロック
１０７…プリプロセス回路
１０８…デジタルプロセス回路
１０８ａ…バッファメモリ
１０９…カードインタフェース（記録制御手段）
１１０…メモリカード
１１１…ＬＣＤ表示系（表示手段）
１１２…システムコントローラ（制御変数記憶手段、制御手段）
１１３…操作スイッチ（画像選択手段、撮影情報切替手段、画面分割数選択手段、表示切替手段、制御変数ステップ調整手段）
１１４…レンズドライバ
１１５…ストロボ
１１６…露出制御ドライバ
１１７…ＡＦ機構
２０１…第１ＬＣＤ（第１表示手段、表示部）
２０２…第２ＬＣＤ（第１表示手段、表示部）
２０３…表示部（第２表示手段）
２０４…第３ＬＣＤ（第２表示手段）
２０５…電源
２０６，２０７…接点
２０８…選択回路
３０１…電子ビューファインダ（ＥＶＦ）
３０２…ヒンジ部
３０３…電源収納部
３０４…モードダイヤル
３０５…コントロールダイヤル
３０６…把持部
３１０…カメラ本体
４０１…表示部切替ボタン
４０２…タッチパッド（画像選択手段、撮影情報切替手段、画面分割数選択手段、表示切替手段、制御変数ステップ調整手段、ポインタ操作部）
４０３…レリーズボタン（画像選択手段、撮影情報切替手段、画面分割数選択手段、表示切替手段、制御変数ステップ調整手段、確定ボタン、レリーズ操作部）
４０４ａ，４０４ｂ，４０４ｃ，４０４ｄ…ボタン（画像選択手段、撮影情報切替手段、画面分割数選択手段、表示切替手段、制御変数ステップ調整手段、ポインタ操作部）
５０１…画像表示領域
５０２…ツールバー
５０２ａ…メニュー（撮影情報切替手段）
５０２ｂ…メニュー（画面分割数選択手段）
５０２ｃ…メニュー（表示切替手段、制御変数ステップ調整手段）
５０６…登録確認ダイヤログ
【図１】
2007208648.tif 000003
【図２】
2007208648.tif 000004
【図３】
2007208648.tif 000005
【図４】
2007208648.tif 000006
【図５】
2007208648.tif 000007
【図６】
2007208648.tif 000008
【図７】
2007208648.tif 000009
【図８】
2007208648.tif 000010
【図９】
2007208648.tif 000011
【図１０】
2007208648.tif 000012
【図１１】
2007208648.tif 000013
【図１２】
2007208648.tif 000014
【図１３】
2007208648.tif 000015
【図１４】
2007208648.tif 000016
【図１５】
2007208648.tif 000017
【図１６】
2007208648.tif 000018
【図１７】
2007208648.tif 000019